(57)【特許請求の範囲】
【請求項１】
互いに独立したデータからなる文字データおよび画像データを含む書籍データに基づいて文字および画像を表示可能な表示部と、
前記表示部に表示された前記文字および画像を操作するための文字画像操作部と、
前記文字および画像を所定のレイアウトで前記表示部に表示させる制御部と、
前記文字画像操作部とは別個に、前記表示部以外の部分に設けられ、前記文字のスクロール機能と前記画像のスクロール機能とを切り替えるスクロール機能切替操作部とを備え、
前記制御部は、前記文字画像操作部に対して所定の拡大操作が行われた場合に、前記所定のレイアウトで前記表示部に表示されている前記文字および画像をそれぞれ予め設定された前記文字データ用の第１の大きさと前記画像データ用の第２の大きさとに同時に拡大する制御を行うとともに、前記スクロール機能切替操作部に対する切替操作に応じて、同時に拡大された前記文字および画像に対して、個別にスクロールする制御を行うように構成されている、電子書籍リーダ機能を有する携帯機器。
【請求項２】
前記制御部は、前記文字および画像を拡大する際の大きさを前記文字および画像の少なくともいずれか一方についてユーザにより予め設定可能に構成されている、請求項１に記載の電子書籍リーダ機能を有する携帯機器。
【請求項３】
前記制御部は、前記表示部に前記所定のレイアウトで表示された前記文字および画像をそれぞれ前記第１の大きさおよび前記第２の大きさに拡大する場合に、前記第１の大きさに拡大された前記文字の列を前記表示部の大きさに合わせて折り返して表示するように構成されている、請求項１または２に記載の電子書籍リーダ機能を有する携帯機器。
【請求項４】
前記文字画像操作部は、スクロール操作部を含み、
前記制御部は、前記スクロール操作部がユーザにより操作されることにより、前記表示部に拡大表示されている前記文字および画像を個別にスクロール操作することが可能なように構成されている、請求項１〜３のいずれか１項に記載の電子書籍リーダ機能を有する携帯機器。
【請求項５】
前記制御部は、前記スクロール操作部に対して所定の操作が行われた場合に、前記文字および画像のいずれか一方をスクロールするとともに、前記スクロール機能切替操作部および前記スクロール操作部の両方に対して所定の操作が行われた場合に、前記文字および画像のいずれか他方をスクロールするように構成されている、請求項４に記載の電子書籍リーダ機能を有する携帯機器。
【請求項６】
前記制御部は、前記文字および画像をそれぞれ前記第１の大きさおよび前記第２の大きさに拡大した後に、前記文字画像操作部に対して所定の拡大操作が行われた場合に、前記表示部に表示されている前記文字の大きさをそのまま維持した状態で前記画像を拡大する制御を行うように構成されている、請求項１〜５のいずれか1項に記載の電子書籍リーダ機能を有する携帯機器。
【請求項７】
前記文字および画像を拡大する際の大きさを前記文字および画像の少なくともいずれか一方についてユーザにより予め設定可能に構成されており、
前記文字および画像を拡大する際の大きさが前記文字および画像の少なくともいずれか一方についてユーザにより予め設定されている場合に、前記制御部は、設定された大きさのサンプル文字およびサンプル画像の少なくともいずれか一方を前記表示部に表示させるように構成されている、請求項１〜６のいずれか１項に記載の電子書籍リーダ機能を有する携帯機器。
【請求項８】
前記制御部は、前記文字および画像をそれぞれ前記第１の大きさおよび前記第２の大きさに拡大した後に、前記文字画像操作部に対して所定の縮小操作が行われた場合に、拡大された前記文字および画像を同時に前記所定のレイアウトに戻す制御を行うように構成されている、請求項１〜７のいずれか1項に記載の電子書籍リーダ機能を有する携帯機器。
【発明の詳細な説明】
【技術分野】
【０００１】
この発明は、電子書籍リーダ機能を有する携帯機器に関し、特に、書籍データに基づいて文字および画像を表示可能な表示部を備える電子書籍リーダ機能を有する携帯機器に関する。
【背景技術】
【０００２】
従来、書籍データに基づいて文字および画像を表示可能な表示部を備える電子書籍リーダ機能を有する携帯機器が知られている（たとえば、特許文献１参照）。
【０００３】
上記特許文献１には、文字データおよび画像データを含む書籍データに基づいて文字および画像を表示可能な表示部と、表示部に表示された文字または画像を選択するためのボタンと、選択された文字または画像のいずれかを拡大縮小するための拡大縮小ボタンとを備える情報処理装置（電子書籍リーダ機能を有する携帯機器）が開示されている。上記特許文献１による情報処理装置では、文字を拡大縮小する場合には、ユーザによりボタンが操作されることにより文字を選択する操作が行われた後、ユーザにより拡大縮小ボタンが操作されることにより選択された文字を拡大または縮小することが可能なように構成されている。また、画像を拡大縮小する場合には、ユーザによりボタンが操作されることにより画像を選択する操作が行われた後、ユーザにより拡大縮小ボタンが操作されることにより選択された画像を拡大または縮小することが可能なように構成されている。
【先行技術文献】
【特許文献】
【０００４】
【特許文献１】特開２００４−１１８４７８号公報
【発明の概要】
【発明が解決しようとする課題】
【０００５】
しかしながら、上記特許文献１による情報処理装置（電子書籍リーダ機能を有する携帯機器）では、ユーザが表示部に表示されている書籍の全体表示が小さく、表示部に表示されている書籍（文字および画像の両方）を拡大させる場合に、ユーザは、表示部に表示されている文字を選択した後に文字の拡大操作を行い、さらに、画像を選択した後に画像の拡大操作を行う必要があるため、表示部に表示されている書籍（文字および画像の両方）を拡大する場合における操作が煩雑になるという不都合がある。その結果、表示部に表示されている文字および画像の両方をそれぞれ所望の大きさに拡大する場合におけるユーザの操作負担が大きくなるという問題点がある。
【０００６】
この発明は、上記のような課題を解決するためになされたものであり、この発明の１つの目的は、表示部に表示されている文字および画像の両方をそれぞれ所望の大きさに拡大する場合におけるユーザの操作負担を軽減することが可能な電子書籍リーダ機能を有する携帯機器を提供することである。
【課題を解決するための手段および発明の効果】
【０００７】
この発明の一の局面による電子書籍リーダ機能を有する携帯機器は、互いに独立したデータからなる文字データおよび画像データを含む書籍データに基づいて文字および画像を表示可能な表示部と、表示部に表示された文字および画像を操作するための文字画像操作部と、文字および画像を所定のレイアウトで表示部に表示させる制御部と、文字画像操作部とは別個に、表示部以外の部分に設けられ、文字のスクロール機能と画像のスクロール機能とを切り替えるスクロール機能切替操作部とを備え、制御部は、文字画像操作部に対して所定の拡大操作が行われた場合に、所定のレイアウトで表示部に表示されている文字および画像をそれぞれ予め設定された文字データ用の第１の大きさと画像データ用の第２の大きさとに同時に拡大する制御を行うとともに、スクロール機能切替操作部に対する切替操作に応じて、同時に拡大された文字および画像に対して、個別にスクロールする制御を行うように構成されている。
【０００８】
この一の局面による電子書籍リーダ機能を有する携帯機器では、上記のように、操作部に対して所定の拡大操作が行われた場合に、所定のレイアウトで表示部に表示されている文字および画像をそれぞれ予め設定された文字データ用の第１の大きさと画像データ用の第２の大きさとに同時に拡大することによって、文字と画像とを個別に選択するとともに選択した文字と画像とを個別に拡大する操作を行う場合と比べて、文字および画像が予め設定された大きさに同時に拡大される分、拡大操作時の操作の手間を減少させることができる。また、文字および画像をそれぞれ予め設定された文字データ用の第１の大きさと画像データ用の第２の大きさとに同時に拡大することによって、文字および画像の各々をユーザの所望する大きさに拡大することができる。これらの結果、表示部に表示されている文字および画像の両方をそれぞれ所望の大きさに拡大する場合におけるユーザの操作負担を軽減することができる。また、制御部は、表示部に拡大表示されている文字および画像を個別にスクロール操作することが可能なように構成されている。これにより、ユーザがスクロールしたい文字および画像のいずれか一方のみをスクロールすることができるので、ユーザがスクロール操作を行った場合に文字および画像の両方がスクロールされる場合と比べて、スクロール操作性を向上することができる。
【０００９】
上記一の局面による電子書籍リーダ機能を有する携帯機器において、好ましくは、制御部は、文字および画像を拡大する際の大きさを文字および画像の少なくともいずれか一方についてユーザにより予め設定可能に構成されている。このように構成すれば、拡大する際の大きさをユーザにより予め設定可能とすることにより、表示部に表示されている文字および画像を拡大する際においてユーザが文字および画像を所望の大きさに調整する操作を行うことなく、少ない手順で所望の大きさに文字および画像の少なくとも一方を拡大することができる。これによっても、ユーザの操作負担を軽減することができる。
【００１０】
上記一の局面による電子書籍リーダ機能を有する携帯機器において、好ましくは、制御部は、表示部に所定のレイアウトで表示された文字および画像をそれぞれ第１の大きさおよび第２の大きさに拡大する場合に、第１の大きさに拡大された文字の列を表示部の大きさに合わせて折り返して表示するように構成されている。このように構成すれば、文字の大きさが拡大されることにより文字の列の全体を表示部に表示することができなくなった場合にも、文字の列が延びる方向に表示部から文字の列がはみ出すのを防止することができる。これにより、文字の列が延びる方向にスクロール操作を行う必要がないので、拡大表示された文字（文字の列）をユーザが読みやすい状態で表示部に表示させることができる。
【００１２】
上記表示部に表示されている文字および画像を個別にスクロール操作する構成において、好ましくは、文字画像操作部は、スクロール操作部を含み、制御部は、スクロール操作部がユーザにより操作されることにより、表示部に拡大表示されている文字および画像を個別にスクロール操作することが可能なように構成されている。このように構成すれば、スクロール操作部により、容易に、表示部に拡大表示されている文字および画像を個別にスクロール操作することができる。
【００１３】
この場合において、好ましくは、制御部は、スクロール操作部に対して所定の操作が行われた場合に、文字および画像のいずれか一方をスクロールするとともに、スクロール機能切替操作部およびスクロール操作部の両方に対して所定の操作が行われた場合に、文字および画像のいずれか他方をスクロールするように構成されている。このように構成すれば、スクロール機能切替操作部を操作することにより、１つの共通のスクロール操作部を用いて文字および画像のいずれかのスクロール操作を個別に行うことができる。
【００１４】
上記一の局面による電子書籍リーダ機能を有する携帯機器において、好ましくは、制御部は、文字および画像をそれぞれ第１の大きさおよび第２の大きさに拡大した後に、文字画像操作部に対して所定の拡大操作が行われた場合に、表示部に表示されている文字の大きさをそのまま維持した状態で画像を拡大する制御を行うように構成されている。このように構成すれば、拡大された後の表示部に表示された画像の大きさがユーザの所望する大きさに達しておらず、画像のみをさらに拡大したい場合に、文字が大きくなりすぎて読みにくくなるのを抑制しながら画像のみをさらに拡大することができる。
【００１５】
上記一の局面による電子書籍リーダ機能を有する携帯機器において、好ましくは、文字および画像を拡大する際の大きさを文字および画像の少なくともいずれか一方についてユーザにより予め設定可能に構成されており、文字および画像を拡大する際の大きさが文字および画像の少なくともいずれか一方についてユーザにより予め設定されている場合に、制御部は、設定された大きさのサンプル文字およびサンプル画像の少なくともいずれか一方を表示部に表示させるように構成されている。このように構成すれば、ユーザは表示部に表示されたサンプル文字およびサンプル画像の少なくともいずれか一方の大きさを確認することができるので、ユーザは、サンプル文字およびサンプル画像の少なくともいずれか一方の大きさを参照することにより、容易に文字および画像を拡大する際の大きさを設定することができる。
【００１６】
上記一の局面による電子書籍リーダ機能を有する携帯機器において、好ましくは、制御部は、文字および画像をそれぞれ第１の大きさおよび第２の大きさに拡大した後に、文字画像操作部に対して所定の縮小操作が行われた場合に、拡大された文字および画像を同時に所定のレイアウトに戻す制御を行うように構成されている。このように構成すれば、文字と画像とを個別に選択するとともに選択した文字と画像とを個別に所定のレイアウトに戻す操作を行う場合と比べて、文字および画像が予め設定された所定のレイアウトに戻される（縮小される）分、縮小操作時の操作の手間を減少させることができる。この結果、表示部に表示されている文字および画像の両方をそれぞれ書籍データが有する所定のレイアウトに戻す（縮小する）場合におけるユーザの操作負担を軽減することができる。
【図面の簡単な説明】
【００１７】
【図１】本発明の一実施形態による電子書籍リーダの構成を説明するためのブロック図である。
【図２】図１に示した電子書籍リーダの液晶パネルにデフォルトのレイアウトで文字および画像を表示させた際の図である。
【図３】図１に示した電子書籍リーダの液晶パネルに拡大レイアウトで文字および画像を表示させた際の図である。
【図４】図３の拡大レイアウトで表示された文字および画像のうち文字をスクロールさせた状態を示した図である。
【図５】図４の拡大レイアウトで表示された文字および画像のうち画像をスクロールさせた状態を示した図である。
【図６】図１に示した電子書籍リーダが操作される際の処理を説明するためのフローチャートである。
【図７】図１に示した電子書籍リーダの操作後に行われる書籍の表示終了処理の詳細を説明するためのフローチャートである。
【図８】図６に示すフローチャートにおいて実行されるカスタマイズ設定の処理の詳細を説明するためのフローチャートである。
【図９】図６に示すフローチャートにおいて実行される書籍データ読込処理の詳細を説明するためのフローチャートである。
【発明を実施するための形態】
【００１８】
以下、本発明を具体化した実施形態を図面に基づいて説明する。
【００１９】
まず、図１〜図５を参照して、本発明の一実施形態による電子書籍リーダ１の構成について説明する。なお、電子書籍リーダ１は、本発明の「電子書籍リーダ機能を有する携帯機器」の一例である。
【００２０】
図１および図２に示すように、本発明の一実施形態による電子書籍リーダ１は、人の手に把持された状態で使用可能な大きさを有する携帯型の電子書籍リーダ１である。この電子書籍リーダ１は、互いに独立したデータからなる文字データおよび画像データを含む書籍データに基づいて文字および画像を表示可能な液晶パネル１０と、液晶パネル１０が表面に設けられるフレーム２０（図２参照）と、フレーム２０の正面に設けられた４つの十字キーからなるスクロールキー３１〜３４と、４つの十字キーからなるスクロールキー３１〜３４の中心に配置された拡大縮小キー３５と、フレーム２０の側面に設けられたファンクションキー３６とを備えている。なお、液晶パネル１０は、本発明の「表示部」の一例であり、４つのスクロールキー３１〜３４は、本発明の「操作部」および「スクロール操作部」の一例である。また、拡大縮小キー３５は、本発明の「操作部」の一例であり、ファンクションキー３６は、本発明の「操作部」および「機能切替操作部」の一例である。
【００２１】
また、電子書籍リーダ１は、さらに、図１に示すように、電子書籍リーダ１の制御を司る制御部（ＣＰＵ）４０と、書籍データなどを格納するメモリ４１と、書籍データをダウンロードすることが可能な通信部４２と、制御部４０に電力を供給する電源部４３とを備えている。
【００２２】
４つのスクロールキー３１〜３４、拡大縮小キー３５およびファンクションキー３６は、それぞれ、液晶パネル１０に表示された書籍データに基づく文字および画像を操作するために設けられている。具体的には、スクロールキー３１は、図２に示すように、押下された場合に、液晶パネル１０に表示されている文字および画像を上方向（矢印Ｙ１方向）にスクロールさせるとともに、スクロールキー３２は、押下された場合に、液晶パネル１０に表示されている文字および画像を下方向（矢印Ｙ２方向）にスクロールさせるために設けられている。また、スクロールキー３３は、押下された場合に、液晶パネル１０に表示されている文字および画像を右方向（矢印Ｘ１方向）にスクロールさせるとともに、スクロールキー３４は、押下された場合に、液晶パネル１０に表示されている文字および画像を左方向（矢印Ｘ２方向）にスクロールさせるために設けられている。
【００２３】
また、拡大縮小キー３５は、液晶パネル１０に表示されている文字および画像が後述するデフォルトのレイアウトの状態（図２の状態）の場合において押下（拡大操作）された場合に、液晶パネル１０に表示されている文字および画像を拡大させるように構成されている。また、拡大縮小キー３５は、液晶パネル１０に表示されている文字および画像が後述する拡大レイアウトの状態（図３〜図５の状態）の場合において押下された場合に、液晶パネル１０に表示されている文字および画像を縮小させるように構成されている。
【００２４】
また、ファンクションキー３６は、４つのスクロールキー３１〜３４によりスクロール操作をする際に、液晶パネル１０に表示されている文字のスクロール機能と画像のスクロール機能とを切り替えるキーである。また、ファンクションキー３６は、拡大縮小キー３５を操作した場合の機能を変更する場合にも操作されるように構成されている。
【００２５】
ここで、本実施形態では、ユーザがメモリ４１に格納されている書籍データを呼び出す操作を行った場合に、制御部４０は、メモリ４１から書籍データを読み込むとともに、読み込まれた書籍データに基づいて文字および画像をデフォルトのレイアウト（図２のレイアウト）で液晶パネル１０に表示させるように構成されている。また、制御部４０は、書籍データがデフォルトのレイアウトで複数ページに渡るデータである場合において、初めてその書籍データを開く場合には、最初のページｐ１を表示するとともに、前回その書籍データを開いていた場合において、その書籍データを開く場合には、その書籍データが閉じられたページｐ（ｐｒｅｖ）を表示するように構成されている。なお、デフォルトのレイアウトは、本発明の「所定のレイアウト」の一例である。
【００２６】
また、制御部４０は、書籍データを開く場合に、液晶パネル１０に表示されるページｐとは別個に、表示されるページｐの前後のページを何ページ分かも読み出すように構成されている。このように現在表示されているページｐの前後のページを予め読み出すことによって、ページがスクロールされた場合に、即時にスクロールされたページを液晶パネル１０に表示することが可能となる。
【００２７】
また、本実施形態では、図３に示すように、制御部４０は、デフォルトのレイアウトで液晶パネル１０に表示されている文字および画像が互いに独立する文字データおよび画像データから構成されている場合において、拡大縮小キー３５が押下された場合に、文字および画像を予め設定された文字データ用の大きさと画像データ用の大きさとに同時に拡大するように構成されている。この場合、書籍データに基づいて表示されているの文字および画像を互いに異なる拡大率で拡大可能である。具体的には、制御部４０は、文字および画像を拡大する際の大きさを文字について予めカスタマイズ設定可能に構成されている。また、制御部４０は、文字および画像を拡大する際の大きさを画像についても予め設定可能に構成されている。これにより、文字の拡大率の設定と画像の拡大率の設定とを互いに異なる拡大率に設定することにより、拡大縮小キー３５が押下された場合に、文字および画像を互いに異なる拡大率で拡大表示させることが可能となる。
【００２８】
また、制御部４０は、図３〜図５に示すように、液晶パネル１０にデフォルトのレイアウトで表示された文字および画像をそれぞれ文字データ用の大きさと画像データ用の大きさとに拡大する場合に、デフォルトのレイアウトから拡大表示に適した拡大レイアウトに変更することにより、文字および画像を液晶パネル１０に拡大表示する制御を行うように構成されている。この拡大レイアウトは、液晶パネル１０の矢印Ｙ１方向および矢印Ｙ２方向（長手方向）の矢印Ｙ１方向側（一方側）に文字がレイアウトされるとともに、液晶パネル１０の矢印Ｙ１方向および矢印Ｙ２方向（長手方向）の矢印Ｙ２方向側（他方側）に画像がレイアウトされるレイアウトである。なお、ユーザの設定により、拡大レイアウトにおける文字の表示範囲と画像の表示範囲との割合を変更することが可能である。
【００２９】
また、本実施形態では、制御部４０は、液晶パネル１０にデフォルトのレイアウトで表示された文字および画像をそれぞれ文字データ用の大きさと画像データ用の大きさとに拡大する場合に、図３に示すように、文字データ用の大きさに拡大された文字の列を液晶パネル１０の幅方向（矢印Ｘ１方向および矢印Ｘ２方向）の大きさに合わせて折り返して表示するように構成されている。また、制御部４０は、画像を拡大レイアウトでレイアウトする場合に、所定の表示範囲Ａを超えない範囲で画像を表示するように構成されている。この場合において、画像が所定の表示範囲Ａよりも大きい表示範囲を必要とする大きさに拡大されている場合には、制御部４０は、画像の一部を液晶パネル１０に表示するように構成されている。
【００３０】
また、本実施形態では、制御部４０は、文字および画像を拡大レイアウトで表示している場合において、４つのスクロールキー３１〜３４のみが押下された場合には、押下されたスクロールキー３１〜３４のいずれかの方向に文字のみをスクロールするように構成されている。たとえば、制御部４０は、文字（文書）の下側が途中で途切れた図３の状態で文字が液晶パネル１０に表示されている場合に、スクロールキー３２が押下された場合には、文字のみを下方にスクロールするように構成されている。これにより、文字（文書）の下側が途中で途切れた図３の状態であっても、図４に示すように、文字（文書）の下側を液晶パネル１０に表示させることが可能となる。
【００３１】
また、制御部４０は、文字および画像をデフォルトのレイアウトで表示している場合において、スクロールキー３１が押下された場合には、現在表示されているページｐの前のページ（ｐ−１）を液晶パネル１０に表示させるように構成されている。また、制御部４０は、文字および画像をデフォルトのレイアウトで表示している場合において、スクロールキー３２が押下された場合には、現在表示されているページｐの次のページ（ｐ＋１）を液晶パネル１０に表示させるように構成されている。
【００３２】
また、本実施形態では、制御部４０は、ファンクションキー３６が押下されながら４つのスクロールキー３１〜３４のいずれかが押下された場合には、押下されたスクロールキー３１〜３４のいずれかの方向に画像のみをスクロールするように構成されている。たとえば、制御部４０は、画像の右側（矢印Ｘ１方向側）が途中で途切れた図３および図４の状態で画像が液晶パネル１０に表示されている場合に、ファンクションキー３６が押下されながらスクロールキー３４が押下された場合には、画像のみを左方（矢印Ｘ２方向）にスクロールするように構成されている。これにより、画像の右側が途中で途切れた図３および図４の状態であっても、図５に示すように、画像の右側を液晶パネル１０に表示させることが可能となる。このように、本実施形態では、制御部４０は、４つのスクロールキー３１〜３４のみを押下する場合と、ファンクションキー３６を押下しながら４つのスクロールキー３１〜３４のいずれかを押下する場合とで、液晶パネル１０に表示されている文字および画像を個別に操作することが可能なように構成されている。
【００３３】
また、制御部４０は、書籍データに基づく文字および画像が拡大レイアウトでレイアウトされている場合において、拡大縮小キー３５が押下された場合には、文字および画像をデフォルトのレイアウトに縮小するように構成されている。また、制御部４０は、書籍データに基づく文字および画像が拡大レイアウトでレイアウトされている場合において、ファンクションキー３６が押下されながら拡大縮小キー３５が押下された場合には、液晶パネル１０に表示されている文字の大きさをそのまま維持した状態で画像をさらに拡大するように構成されている。
【００３４】
次に、図１および図６を参照して、本実施形態による電子書籍リーダ１が操作される際の処理フローについて説明する。
【００３５】
まず、図６に示すように、ステップＳ１において、制御部４０（図１参照）により、文字および画像を拡大する際の大きさを決定するカスタマイズ設定のコマンドが選択されたか否かが判断される。そして、ステップＳ１において、カスタマイズ設定のコマンドが選択された場合には、ステップＳ２に進み、後述するカスタマイズ設定処理が終了した後に、ステップＳ３に進む。また、ステップＳ１において、カスタマイズ設定のコマンドが選択されていない場合には、ステップＳ３に進む。
【００３６】
その後、ステップＳ３において、制御部４０により、ユーザの操作に基づいて所定の書籍データが選択されたか否かが判断される。そして、ステップＳ３において、所定の書籍データが選択されたと判断された場合には、ステップＳ４に進み、後述する書籍データ読込処理が終了した後に、ステップＳ５に進む。なお、ステップＳ３において、所定の書籍データが選択されるまで、上記判断は繰り返される。
【００３７】
その後、ステップＳ５において、ステップＳ４において読み込まれた書籍データの所定のページｐの文字および画像がデフォルトのレイアウトで表示され、ステップＳ６に進む。そして、ステップＳ６において、制御部４０により、スクロールキー３１または３２が押下されることによるページスクロール操作がされたか否かが判断される。そして、ステップＳ６において、ページスクロール操作がされたと判断された場合には、ステップＳ７に進む。そして、ステップＳ７において、スクロールキー３１が押下されている場合には、現在液晶パネル１０に表示されているページｐを前のページ（ｐ−１）に変更し、ステップＳ５に戻る。また、ステップＳ７において、スクロールキー３２が押下されている場合には、現在液晶パネル１０に表示されているページｐを次のページ（ｐ＋１）に変更し、ステップＳ５に戻る。
【００３８】
また、ステップＳ６において、スクロールキー３１または３２が押下されることによるページスクロール操作がされていないと判断された場合には、ステップＳ８に進む。そして、ステップＳ８において、制御部４０により、拡大縮小キー３５が押下されることによる液晶パネル１０に表示されている文字および画像の拡大操作がされたか否かが判断される。そして、ステップＳ８において、文字および画像の拡大操作がされていないと判断された場合には、ステップＳ６に戻る。また、ステップＳ８において、文字および画像の拡大操作が行われたと判断された場合には、ステップＳ９に進む。
【００３９】
その後、ステップＳ９において、後述するカスタマイズ設定された文字サイズで文字が拡大表示されるとともに、所定の大きさに画像が拡大表示される。この場合、画像は予め定められた大きさに拡大表示される。その後、ステップＳ１０において、制御部４０により、スクロールキー３１または３２が押下されることによる文字スクロール操作がされたか否かが判断される。そして、ステップＳ１０において、文字スクロール操作がされたと判断された場合には、ステップＳ１１に進む。その後、ステップＳ１１において、スクロールキー３１が押下されている場合には、現在液晶パネル１０に表示されている文字を上方にスクロールし、ステップＳ１０に戻る。また、ステップＳ１１において、スクロールキー３２が押下されている場合には、現在液晶パネル１０に表示されている文字を下方にスクロールし、ステップＳ１０に戻る。
【００４０】
また、ステップＳ１０において、スクロールキー３１または３２が押下されることによる文字スクロール操作がされていないと判断された場合には、ステップＳ１２に進む。その後、ステップＳ１２において、制御部４０により、ファンクションキー３６とスクロールキー３１〜３４のいずれかとが押下されることによる画像スクロール操作がされたか否かが判断される。そして、ステップＳ１２において、画像スクロール操作がされたと判断された場合には、ステップＳ１３に進む。その後、ステップＳ１３において、スクロールキー３１〜３４が押下された方向に現在液晶パネル１０に表示されている画像をスクロールし、ステップＳ１２に戻る。
【００４１】
また、ステップＳ１２において、画像スクロール操作がされていないと判断された場合には、ステップＳ１４に進む。そして、ステップＳ１４において、制御部４０により、拡大縮小キー３５が押下されることによる拡大表示の解除操作がされたか否かが判断される。そして、ステップＳ１４において、拡大表示の解除操作がされていないと判断された場合には、ステップＳ１０に戻り、ステップＳ１０〜ステップＳ１４の処理を繰り返す。また、ステップＳ１４において、拡大表示の解除操作がされたと判断された場合には、ステップＳ５に戻り、ステップＳ５〜ステップＳ１４の処理を繰り返す。
【００４２】
次に、図７を参照して、本実施形態による電子書籍リーダ１の文字および画像の表示終了処理について説明する。
【００４３】
図７に示すように、ステップＳ２１において、現在液晶パネル１０に表示されているページのページ番号がメモリ４１に記憶され、その後、文字および画像の表示が終了される。
【００４４】
次に、図１および図８を参照して、本実施形態による電子書籍リーダ１のカスタマイズ設定時の処理について説明する。
【００４５】
まず、図８に示すように、ステップＳ３１において、制御部４０（図１参照）により、現在設定されている文字の大きさ（文字サイズ）でサンプル文書が液晶パネル１０に表示される。その後、ステップＳ３２において、制御部４０により、ユーザにより文字サイズの変更の入力が行われたか否かが判断される。そして、ステップＳ３２において、文字サイズの変更の入力が行われたと判断された場合には、ステップＳ３３に進む。そして、ステップＳ３３において、変更の入力が行われた文字サイズに変更され、ステップＳ３１に戻る。また、ステップＳ３２において、文字サイズの変更の入力が行われていないと判断された場合には、ステップＳ３４に進む。
【００４６】
その後、ステップＳ３４において、制御部４０により、ユーザの操作に基づいて現在液晶パネル１０に表示されているサンプル文書の文字サイズが決定されたか否かが判断される。そして、ステップＳ３４において、現在液晶パネル１０に表示されているサンプル文書の文字サイズが決定されていないと判断された場合には、ステップＳ３１に戻る。また、ステップＳ３４において、現在液晶パネル１０に表示されているサンプル文書の文字サイズが決定されたと判断された場合には、ステップＳ３５に進む。そして、ステップＳ３５において、現在表示されているサンプル文書の文字サイズが設定される。
【００４７】
その後、ステップＳ３６において、書籍データを開く際において、液晶パネル１０に表示されるページｐとは別個に、表示されるページｐの前後ページを何ページ分読み出すかの設定を行うための設定画面が液晶パネル１０に表示される。そして、ステップＳ３７において、制御部４０により、ユーザにより表示されるページｐの前後ページを何ページ分読み出すかの設定が行われたか否かが判断される。そして、ステップＳ３７において、ユーザにより表示されるページｐの前後ページを何ページ分読み出すかの設定が行われたと判断された場合には、ステップＳ３８に進む。そして、ステップＳ３８において、何ページ分読み出すかの設定について変更された設定に変更され、電子書籍リーダ１のカスタマイズ設定の操作処理が終了する。また、ステップＳ３７において、ユーザにより表示されるページｐの前後ページを何ページ分読み出すかの設定が行われていないと判断された場合には、表示されるページｐの前後ページを何ページ分読み出すかの設定をそのままにして、電子書籍リーダ１のカスタマイズ設定の操作処理が終了する。
【００４８】
次に、図１および図９を参照して、本実施形態による電子書籍リーダ１の書籍データ読込処理について説明する。
【００４９】
まず、図９に示すように、ステップＳ４１において、制御部４０（図１参照）により、読み込まれた書籍データが以前開かれた書籍データで、かつ、その書籍データの書籍（文字および画像）の表示終了処理時に記憶されたページｐ（ｐｒｅｖ）が記憶されているか否かが判断される。そして、ステップＳ４１において、書籍（文字および画像）の表示終了処理時に記憶されたページｐ（ｐｒｅｖ）が記憶されていると判断された場合には、後述するステップＳ４４に進む。また、ステップＳ４１において、書籍（文字および画像）の表示終了処理時に記憶されたページｐ（ｐｒｅｖ）が記憶されていないと判断された場合には、ステップＳ４２に進む。
【００５０】
その後、ステップＳ４２において、制御部４０により、読み込まれた書籍データに書籍固有の初期ページ番号が設定されているか否かが判断される。すなわち、読み込まれた書籍データに、その書籍データが初めて読み込まれる際に開かれるべきページの設定が組み込まれているか否かが判断される。そして、ステップＳ４２において、読み込まれた書籍データに書籍固有の初期ページ番号が設定されていると判断された場合には、後述するステップＳ４４に進む。また、ステップＳ４２において、読み込まれた書籍データに書籍固有の初期ページ番号が設定されていないと判断された場合には、ステップＳ４３に進む。そして、ステップＳ４３において、制御部４０により、ステップＳ４１およびステップＳ４２の結果より読み込まれた書籍データに予め組み込まれたページ表示の設定がされていないことが認識される。
【００５１】
その後、ステップＳ４４において、制御部４０により、読み込まれた書籍データに予め組み込まれたページ表示の設定がされている場合には、設定されたページｐとその前後のページ何ページ分とが読み出され、電子書籍リーダ１の書籍データ読込処理が終了する。また、ステップＳ４４において、読み込まれた書籍データに予め組み込まれたページ表示の設定がされていない場合には、書籍データの１ページ目ｐ１とその後のページ何ページ分とが読み出され、電子書籍リーダ１の書籍データ読込処理が終了する。
【００５２】
本実施形態では、上記のように、拡大縮小キー３５を押下した場合に、デフォルトのレイアウトで液晶パネル１０に表示されている文字および画像をそれぞれ予め設定された文字データ用の大きさと画像データ用の大きさとに同時に拡大することによって、文字と画像とを個別に選択するとともに選択した文字と画像とを個別に拡大する操作を行う場合と比べて、文字および画像が予め設定された大きさに同時に拡大される分、拡大操作時の操作の手間を減少させることができる。また、文字および画像をそれぞれ予め設定された文字データ用の大きさと画像データ用の大きさとに同時に拡大することによって、文字および画像の各々をユーザの所望する大きさに拡大することができる。これらの結果、液晶パネル１０に表示されている文字および画像の両方をそれぞれ所望の大きさに拡大する場合におけるユーザの操作負担を軽減することができる。
【００５３】
また、本実施形態では、上記のように、文字および画像を拡大する際の大きさをユーザにより予め設定可能に構成することによって、拡大する際の大きさをユーザにより予め設定可能とすることにより、液晶パネル１０に表示されている文字および画像を拡大する際においてユーザが文字および画像を所望する大きさに調整する操作を行うことなく、少ない手順で所望の大きさに文字および画像を拡大することができる。これによっても、ユーザの操作負担を軽減することができる。
【００５４】
また、本実施形態では、上記のように、液晶パネル１０にデフォルトのレイアウトで表示された文字および画像を拡大する場合に、拡大された文字の列を液晶パネル１０の大きさに合わせて折り返して表示することによって、文字の大きさが拡大されることにより文字の列の全体を液晶パネル１０に表示することができなくなった場合にも、文字の列が延びる方向（矢印Ｘ１方向）に液晶パネル１０から文字の列がはみ出すのを防止することができる。これにより、文字の列が延びる方向（矢印Ｘ１方向）にスクロール操作を行う必要がないので、拡大表示された文字（文字の列）をユーザが読みやすい状態で液晶パネル１０に表示させることができる。
【００５５】
また、本実施形態では、上記のように、液晶パネル１０に表示されている文字および画像を個別にスクロール操作することが可能なように構成することによって、ユーザがスクロールしたい文字および画像のいずれか一方のみをスクロールすることができるので、ユーザがスクロール操作を行った場合に文字および画像の両方がスクロールされる場合と比べて、スクロール操作性を向上することができる。
【００５６】
また、本実施形態では、上記のように、スクロールキー３１〜３４を押下した場合に、文字をスクロールするとともに、ファンクションキー３６を押下しながらスクロールキー３１〜３４を押下した場合に、画像をスクロールすることによって、ファンクションキー３６を操作することにより、１つのスクロールキー３１〜３４のいずれかを用いて文字および画像のいずれかのスクロール操作を個別に行うことができる。
【００５７】
また、本実施形態では、上記のように、文字および画像を拡大した後に、ファンクションキー３６を押下しながら拡大縮小キー３５を押下した場合に、液晶パネル１０に拡大表示されている文字の大きさをそのまま維持した状態で画像をさらに拡大することによって、拡大された後の液晶パネル１０に表示された画像の大きさがユーザの所望する大きさに達しておらず、画像のみをさらに拡大したい場合に、文字が大きくなりすぎて読みにくくなるのを抑制しながら画像のみをさらに拡大することができる。
【００５８】
また、本実施形態では、上記のように、文字および画像を拡大する際の大きさが文字についてユーザにより予め設定されている場合に、設定された大きさのサンプル文字を液晶パネル１０に表示させることによって、ユーザは液晶パネル１０に表示されたサンプル文字の大きさを確認することができるので、ユーザは、サンプル文字の大きさを参照することにより、容易に文字および画像を拡大する際の大きさを設定することができる。
【００５９】
また、本実施形態では、上記のように、文字および画像を拡大した後に、拡大縮小キー３５を押下する縮小操作が行われた場合に、拡大された文字および画像を同時にデフォルトのレイアウトに戻すことによって、文字と画像とを個別に選択するとともに選択した文字と画像とを個別に所定のレイアウトに戻す操作を行う場合と比べて、文字および画像が予め設定されたデフォルトのレイアウトに戻される（縮小される）分、縮小操作時の操作の手間を減少させることができる。この結果、液晶パネル１０に表示されている文字および画像の両方をそれぞれ書籍データが有するデフォルトのレイアウトに戻す（縮小する）場合におけるユーザの操作負担を軽減することができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記実施形態では、本発明を電子書籍リーダに適用した例について示したが、本発明はこれに限られない。電子書籍リーダ機能を有する携帯電話機や、携帯端末機器など、電子書籍リーダ機能を有していれば、電子書籍リーダ専用機以外の携帯機器に本発明を適用してもよい。
【００６２】
また、上記実施形態では、長手方向が上下方向（矢印Ｙ１方向および矢印Ｙ２方向）と一致する液晶パネルに横方向（矢印Ｘ１方向および矢印Ｘ２方向）に延びる文字の列および画像を表示した例について示したが、本発明はこれに限られない。長手方向が上下方向（矢印Ｙ１方向および矢印Ｙ２方向）と一致する液晶パネルに縦方向に延びる文字の列および画像を表示してもよいし、長手方向が左右方向と一致する液晶パネルに横方向または縦方向に延びる文字の列および画像を表示してもよい。
【００６３】
また、上記実施形態では、すべての文字を一律に同じ拡大倍率で拡大するようにカスタマイズ設定するようにした例について示したが、本発明はこれに限られない。言語により拡大倍率を変更可能なようにしてもよい。たとえば、日本語の文字と英語や中国語の文字とで個別に拡大倍率を設定可能なように構成してもよい。
【００６４】
また、上記実施形態では、スクロールキーにより文字および画像の両方をスクロールする例について示したが、本発明はこれに限られない。たとえば、文字をスクロールするための文字スクロールキーと画像をスクロールするための画像スクロールキーとの２つのスクロールキーを設けてもよい。
【００６５】
また、上記実施形態では、スクロールキーを十字方向に対応する４つの独立したボタンにより構成した例について示したが、本発明はこれに限られない。たとえば、スクロールキーを上下左右方向を指向する方向性スイッチにより構成してもよいし、トラックボールやジョイスティックにより構成してもよい。
【００６６】
また、上記実施形態では、ダウンロードすることにより書籍データ取得する例について示したが、本発明はこれに限られない。たとえば、電子書籍リーダにメモリーカードやＵＳＢメモリなどの可搬型記憶媒体のインターフェースを設けるとともに、可搬型記憶媒体に記憶された書籍データを取得するようにしてもよい。
【００６７】
また、上記実施形態では、スクロールキーのみを操作した場合に、文字をスクロールするとともに、ファンクションキーを操作しながらスクロールキーを操作した場合に、画像をスクロールする例について示したが、本発明はこれに限られない。スクロールキーのみを操作した場合に、画像をスクロールするとともに、ファンクションキーを操作しながらスクロールキーを操作した場合に、文字をスクロールするようにしてもよい。
【００６８】
また、上記実施形態では、文字を拡大する際の文字の大きさを設定する際にサンプル文字を表示する例について示したが、本発明はこれに限られない。画像を拡大する際の画像の大きさを設定する際にサンプル画像を表示するようにしてもよい。
【００６９】
また、上記実施形態では、画像を拡大する際の画像の大きさを設定する例について示したが、本発明はこれに限られない。画像のデータサイズ（構成している画素数）に応じて画像を拡大する大きさを自動的に変更するようにしてもよい。
【符号の説明】
【００７０】
１  電子書籍リーダ（電子書籍リーダ機能を有する携帯機器）
１０  液晶パネル（表示部）
３１〜３４  スクロールキー（操作部、スクロール操作部）
３５  拡大縮小キー（操作部）
３６  ファンクションキー（操作部、機能切替操作部）
４０  制御部
【図１】
0005556283.tif 000002
【図２】
0005556283.tif 000003
【図３】
0005556283.tif 000004
【図４】
0005556283.tif 000005
【図５】
0005556283.tif 000006
【図６】
0005556283.tif 000007
【図７】
0005556283.tif 000008
【図８】
0005556283.tif 000009
【図９】
0005556283.tif 000010